(57)【要約】      （修正有）【課題】空間の雰囲気を効果的に演出することができる空間演出システムおよび空間演出方法を提供する。【解決手段】空間演出システム１において、第１の壁Ｗ１、第２の壁Ｗ３に設けられ、空間Ｓに第１の光を射出する第１の面光源装置２１、第３の面光源装置２３と、第１の壁と異なる第３の壁Ｗ２に設けられ、空間Ｓに第２の光を射出する第２の面光源装置２２と、を備える。面光源装置２１〜２３は、第１の位置と第２の位置との位置関係に応じた順序にしたがって、第１および第３の光の明るさおよび色の少なくとも一方を変化させる。【選択図】図１
2020057618.tif 000002
【特許請求の範囲】
【請求項１】
第１の位置に設けられ、空間に第１の光を射出する第１の光射出部と、
前記第１の位置と異なる第２の位置に設けられ、前記空間に第２の光を射出する第２の光射出部と、を備え、
前記第１および第２の光射出部は、前記第１の位置と前記第２の位置との位置関係に応じた順序にしたがって、前記第１および第２の光の明るさおよび色の少なくとも一方を変化させる、空間演出システム。
【発明の詳細な説明】
【技術分野】
【０００１】
本開示は、空間演出システムおよび空間演出方法に関する。
【背景技術】
【０００２】
従来から、空間に光を射出することで空間を演出する技術が提案されている。例えば、特許文献１では、廻り縁ユニットと称される壁面に設置された間接照明装置を用いて、隠蔽されて直接的に視認され得ない光源からの光を、反射パネルや天井での反射によって間接的に空間に射出することで、天井の高さや壁面の広さが強調されるように空間を演出している。
【０００３】
特許文献１に開示された技術では、所望の室内空間を作り出すため、光源を収容する筐体の前面カバーを摺動させることによって、間接照明装置の筐体から外部に出射される光の光量を調整している。
【先行技術文献】
【特許文献】
【０００４】
【特許文献１】特開２０１１−２１０５９４号公報
【発明の概要】
【発明が解決しようとする課題】
【０００５】
しかしながら、特許文献１に開示された技術では、間接照明装置からの出射光量を調整することはできるものの、その調整は、間接照明装置が設置されている壁面上の位置によらずに単調なものである。このため、従来は、空間の雰囲気を十分に演出して高めることができなかった。
【０００６】
本開示は、以上の点を考慮してなされたものであり、空間の雰囲気を効果的に演出することができる空間演出システムおよび空間演出方法を提供することを目的とする。
【課題を解決するための手段】
【０００７】
本開示による空間演出システムは、
第１の位置に設けられ、空間に第１の光を射出する第１の光射出部と、
前記第１の位置と異なる第２の位置に設けられ、前記空間に第２の光を射出する第２の光射出部と、を備え、
前記第１および第２の光射出部は、前記第１の位置と前記第２の位置との位置関係に応じた順序にしたがって、前記第１および第２の光の明るさおよび色の少なくとも一方を変化させる。
【０００８】
本開示による空間演出システムにおいて、
前記第１の位置は、前記第２の位置よりも前記空間の利用者の視界に入り易い位置であり、
前記第１の光射出部は、前記第２の光射出部が前記第２の光の明るさおよび色の少なくとも一方を変化させた後に、前記第１の光の明るさおよび色の少なくとも一方を変化させてもよい。
【０００９】
本開示による空間演出システムにおいて、
前記空間は、部屋内に位置し、
前記部屋の出入口から前記第１の位置までの距離は、前記出入口から前記第２の位置までの距離よりも長く、
前記第１の光射出部は、第１の発光面を有する第１の発光装置であり、
前記第２の光射出部は、第２の発光面を有する第２の発光装置であり、
前記第１の発光装置は、前記第２の発光装置が前記第２の光の明るさおよび色の少なくとも一方を変化させた後に、前記第１の光の明るさおよび色の少なくとも一方を変化させてもよい。
【００１０】
本開示による空間演出システムにおいて、
前記第１の発光装置は、前記第２の発光装置が前記第２の光の明るさを増加させた後に、前記第１の光の明るさを増加させてもよい。
【００１１】
本開示による空間演出システムにおいて、
前記第１の発光装置は、前記第２の発光装置が前記第２の光の色を濃くした後に、前記第１の光の色を濃くしてもよい。
【００１２】
本開示による空間演出システムにおいて、
前記第１の発光装置は、前記第１の発光面のうちの前記出入口からの距離が短い第１の発光領域から射出される前記第１の光の明るさおよび色の少なくとも一方を変化させた後に、前記第１の発光面のうちの前記出入口からの距離が長い第２の発光領域から射出される前記第１の光の明るさおよび色の少なくとも一方を変化させてもよい。
【００１３】
本開示による空間演出システムにおいて、
前記第２の発光装置は、前記第２の発光面のうちの前記出入口からの距離が短い第３の発光領域から射出される前記第２の光の明るさおよび色の少なくとも一方を変化させた後に、前記第２の発光面のうちの前記出入口からの距離が長い第４の発光領域から射出される前記第２の光の明るさおよび色の少なくとも一方を変化させてもよい。
【００１４】
本開示による空間演出システムにおいて、
前記第１の発光装置は、前記第１の発光面の前記出入口側の一端から前記出入口と反対側に向かって、漸次または段階的に前記第１の光の明るさおよび色の少なくとも一方を変化させてもよい。
【００１５】
本開示による空間演出システムにおいて、
前記第２の発光装置は、前記第２の発光面の前記出入口側の一端から前記出入口と反対側に向かって、漸次または段階的に前記第２の光の明るさおよび色の少なくとも一方を変化させてもよい。
【００１６】
本開示による空間演出システムにおいて、
前記第１および第２の発光装置は、前記部屋の異なる壁に設けられていてもよい。
【００１７】
本開示による空間演出システムにおいて、
前記第１および第２の発光装置は、前記部屋の同一の壁の異なる位置に設けられていてもよい。
【００１８】
本開示による空間演出システムにおいて、
前記第１および第２の光射出部は、更に、前記空間の利用状況にしたがって、前記第１および第２の光の明るさおよび色の少なくとも一方を変化させてもよい。
【００１９】
本開示による空間演出システムにおいて、
前記空間を照明するベース照明を更に備え、
前記第１および第２の光射出部は、前記空間の利用開始時に、前記第１および第２の光の色を前記ベース照明の照射光の色に合わせ、前記空間の利用開始後に、前記第１および第２の光の色を前記ベース照明の照射光の色から変化させてもよい。
【００２０】
本開示による空間演出システムにおいて、
前記第１および第２の光射出部は、前記第１および第２の光の明るさを、前記ベース照明の照射光の明るさよりも暗くしてもよい。
【００２１】
本開示による空間演出システムにおいて、
前記ベース照明は、前記第１および第２の光射出部から射出される前記第１および第２の光の明るさおよび色の少なくとも一方の変化に応じて、前記照射光の明るさおよび色の少なくとも一方を変化させてもよい。
【００２２】
本開示による空間演出システムにおいて、
発光面を有し、前記発光面から部屋内に位置する空間に光を射出する発光装置を備え、  前記発光装置は、前記発光面のうちの前記部屋の出入口からの距離が短い第１の発光領域から射出される光の明るさおよび色の少なくとも一方を変化させた後に、前記発光面のうちの前記出入口からの距離が長い第２の発光領域から射出される光の明るさおよび色の少なくとも一方を変化させてもよい。
【００２３】
本開示による空間演出システムにおいて、
空間は、正面側の第１の仕切部材および側面側の第２および第３の仕切部材で囲まれた机上に位置し、
第１の位置は、第１の仕切部材上に存在し、
第２の位置は、第２および第３の仕切部材上に存在し、
第１の光射出部は、第２の光射出部が第２の光の明るさおよび色の少なくとも一方を変化させた後に、第１の光の明るさおよび色の少なくとも一方を変化させてもよい。
【００２４】
本開示による空間演出システムにおいて、
空間は、眼鏡のレンズの第１面および第２面の少なくとも一方に隣接する空間であり、  第１の位置は、眼鏡のフレームのうちレンズの高さ方向の一端に隣接する第１フレーム部上に存在し、
第２の位置は、フレームのうちレンズの幅方向の一端に隣接する第２フレーム部上に存在し、
第１の光射出部は、第２の光射出部が第２の光の明るさおよび色の少なくとも一方を変化させた後に、第１の光の明るさおよび色の少なくとも一方を変化させてもよい。
【００２５】
本開示による空間演出方法は、
第１の位置に設けられ、空間に第１の光を射出する第１の光射出部と、前記第１の位置と異なる第２の位置に設けられ、前記空間に第２の光を射出する第２の光射出部に、前記第１の位置と前記第２の位置との位置関係に応じた順序にしたがって、前記第１および第２の光の明るさおよび色の少なくとも一方を変化させる。
【００２６】
本開示による空間演出システムにおいて、
前記第１の光射出部は、発光面を有する発光装置における前記発光面のうちの第１の発光領域であり、
前記第２の光射出部は、前記発光面のうちの前記第１の発光領域と異なる位置に配置された第２の発光領域であってもよい。
【００２７】
本開示による空間演出システムにおいて、
前記発光装置は、前記部屋の天井に設けられていてもよい。
【００２８】
本開示による空間演出システムにおいて、
前記発光装置は、前記空間と他の空間とを仕切る間仕切り壁に設けられていてもよい。
【発明の効果】
【００２９】
本開示によれば、空間の雰囲気を効果的に演出することができる。
【図面の簡単な説明】
【００３０】
【図１】図１は、本実施形態による空間演出システムを示す斜視図である。
【図２】図２は、本実施形態による空間演出システムを示す平面図である。
【図３】図３は、本実施形態による空間演出システムに含まれる面光源装置の一例を示す断面図である。
【図４】図４は、本実施形態による空間演出システムに含まれる面光源装置の一例を示す拡大断面図である。
【図５】図５は、本実施形態による空間演出システムを示すブロック図である。
【図６】図６は、本実施形態による空間演出方法を示す図である。
【図７】図７は、本実施形態の第１の変形例による空間演出システムに含まれる面光源装置の一例を示す正面図である。
【図８】図８は、本実施形態の第１の変形例による空間演出方法を示す図である。
【図９】図９は、本実施形態の第２の変形例による空間演出システムを示す斜視図である。
【図１０】図１０は、本実施形態の第２の変形例による空間演出システムに含まれる面光源装置を示す正面図である。
【図１１】図１１は、本実施形態の第２の変形例による空間演出方法を示す図である。
【図１２】図１２は、本実施形態の第３の変形例による空間演出システムに含まれる面光源装置を示す正面図である。
【図１３】図１３は、本実施形態の第３の変形例による空間演出方法を示す図である。
【図１４】図１４は、本実施形態の第４の変形例による空間演出方法を示す図である。
【図１５】図１５は、本実施形態の第５の変形例による空間演出システムを示す第１の斜視図である。
【図１６】図１６は、本実施形態の第５の変形例による空間演出システムを示す第２の斜視図である。
【図１７】図１７は、本実施形態の第６の変形例による空間演出システムに含まれる面光源装置を示す拡大断面図である。
【図１８】図１８は、本実施形態の第７の変形例による空間演出システムに含まれる面光源装置を示す拡大断面図である。
【図１９】図１９は、本実施形態の第８の変形例による空間演出方法を示す図である。
【図２０】図２０は、本実施形態の第９の変形例による空間演出システムに含まれる面光源装置の一例を示す断面図である。
【図２１】図２１は、本実施形態の第１０の変形例による空間演出システムにおいて、机上の空間への空間演出システムの適用例を示す図である。
【図２２】図２２は、本実施形態の第１０の変形例による空間演出システムにおいて、眼鏡に隣接する空間への空間演出システムの適用例を示す図である。
【図２３】図２３は、本実施形態の第１１の変形例による空間演出システムを示す斜視図である。
【図２４】図２４は、本実施形態の第１１の変形例による空間演出システムに含まれる面光源装置の一例を示す断面図である。
【図２５Ａ】図２５Ａは、本実施形態の第１２の変形例による空間演出システムに含まれる面光源装置の一例を示す断面図である。
【図２５Ｂ】図２５Ｂは、本実施形態の第１２の変形例による空間演出システムに含まれる面光源装置の他の一例を示す断面図である。
【図２６】図２６は、本実施形態の第１２の変形例による空間演出システムに含まれる面光源装置の他の一例を示す断面図である。
【図２７】図２７は、本実施形態の第１３の変形例による空間演出システムに含まれる面光源装置の一例を示す断面図である。
【図２８】図２８は、本実施形態の第１３の変形例による空間演出システムに含まれる面光源装置の一例を示す分解斜視図である。
【発明を実施するための形態】
【００３１】
以下、図面を参照して本実施形態による空間演出システムおよび空間演出方法について説明する。なお、本件明細書に添付する図面においては、図示と理解のしやすさの便宜上、適宜縮尺および縦横の寸法比等を、実物のそれらから変更し誇張してある。
【００３２】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３３】
さらに、本明細書において、「シート」、「フィルム」、「板」の用語は、呼称の違いのみに基づいて、互いから区別されるものではない。例えば、「板」はシートやフィルムと呼ばれ得るような部材も含む概念である。したがって、「導光板」とは、「導光シート」や「導光フィルム」と呼称の相違のみにおいて区別されない。
【００３４】
さらに、「シート面（フィルム面、板面）」とは、対象となるシート状（フィルム状、板状）の部材を全体的かつ大局的に見た場合において対象となるシート状（フィルム状、板状）の部材の平面と一致する面のことを指す。また、シート状（フィルム状、板状）の部材に対する法線方向とは、当該シート状（フィルム状、板状）の部材のシート面（フィルム面、板面）への法線方向のことを指す。
【００３５】
また、本実施形態およびその変形例で参照する図面において、同一部分または同様な機能を有する部分には同一の符号または類似の符号を付し、その繰り返しの説明は省略する。
【００３６】
（空間演出システム１）
図１〜図２２は、本実施形態の複数の例を示す図である。このうち、図１は、本実施形態による空間演出システム１を示す斜視図である。また、図２は、本実施形態による空間演出システム１を示す平面図である。本実施形態による空間演出システム１は、空間に光を射出することで空間を演出するシステムである。言い換えれば、空間演出システム１は、空間に光を射出することで空間の利用者に望ましい心理状態を生じさせるように空間の雰囲気を形成するシステムである。
【００３７】
具体的には、本実施形態による空間演出システム１は、構造体の一例である第１〜第４の壁Ｗ１〜Ｗ４、天井ＣＥおよび床Ｆで区画された部屋内の空間Ｓを照明および演出するために用いることができる。なお、図２に例示される部屋は、隣り合う４つの壁Ｗ１〜Ｗ４で仕切られた４つの角部Ｃ１〜Ｃ４を有する矩形の部屋であるが、空間演出システム１は、矩形以外の部屋の演出にも有効に適用することができる。
【００３８】
空間演出システム１は、空間Ｓに照明光を照射するベース照明装置３と、第１〜第４の面光源装置２１〜２４と、システム制御部４とを備える。図３に示すように、面光源装置２１〜２４は、ボード５、化粧シート６、補助建材７および留具９とともに、空間演出システム１に含まれる建材パネル２０を構成する。図１に示すように、面光源装置２１〜２４は、空間Ｓの利用者に直接視認されないように化粧シート６によって空間Ｓから隠蔽されている。ただし、化粧シート６は本開示に必須の構成ではなく、必要に応じて除去することができる。
【００３９】
（面光源装置２１〜２４）
以下、面光源装置２１〜２４について詳しく説明する。第１の面光源装置２１は、第１の位置の一例である第１の壁Ｗ１に設けられ、空間Ｓに第１の光を射出する第１の光射出部の一例である。また、第１の面光源装置２１は、第１の発光面の一例である発光面２１０ａを有する第１の発光装置の一例でもある。より詳しくは、第１の面光源装置２１は、床Ｆから鉛直方向ｄ１の上方ｄ１１に向かって延在する第１の壁Ｗ１のうち、上端側の位置に設けられている。この位置は、例えば、空間Ｓの利用者が床Ｆ上に立った場合の利用者の目の高さよりも高い位置である。
【００４０】
第２の面光源装置２２は、第２の位置の一例である第２の壁Ｗ２に設けられ、空間Ｓに第２の光を射出する第２の光射出部の一例である。また、第２の面光源装置２２は、第２の発光面の一例である発光面２１０ａを有する第２の発光装置の一例でもある。より詳しくは、第２の面光源装置２２は、床Ｆから鉛直方向ｄ１の上方ｄ１１に向かって延在する第２の壁Ｗ２のうち、上端側の位置に設けられている。第２の面光源装置２２の鉛直方向ｄ１の位置および範囲は、第１の面光源装置２１と同一であってもよく、または、異なっていてもよい。
【００４１】
第３の面光源装置２３は、第１の位置の一例である第３の壁Ｗ３に設けられ、空間Ｓに第１の光を射出する第１の光射出部の一例である。また、第３の面光源装置２３は、第１の発光面の一例である発光面２１０ａを有する第１の発光装置の一例でもある。より詳しくは、第３の面光源装置２３は、床Ｆから鉛直方向ｄ１の上方ｄ１１に向かって延在する第３の壁Ｗ３のうち、上端側の位置に設けられている。第３の面光源装置２３の鉛直方向ｄ１の位置および範囲は、第１の面光源装置２１と同一であってもよく、または、異なっていてもよい。
【００４２】
第４の面光源装置２４は、第２の位置の一例である第４の壁Ｗ４に設けられ、空間Ｓに第２の光を射出する第２の光射出部の一例である。また、第４の面光源装置２４は、第２の発光面の一例である発光面２１０ａを有する第２の発光装置の一例でもある。より詳しくは、第４の面光源装置２４は、床Ｆから鉛直方向ｄ１の上方ｄ１１に向かって延在する第４の壁Ｗ４のうち、上端側の位置に設けられている。第４の面光源装置２４の鉛直方向ｄ１の位置および範囲は、第１の面光源装置２１と同一であってもよく、または、異なっていてもよい。
【００４３】
より詳しくは、図２に示すように、第１の面光源装置２１は、出入口Ｄが設けられた第４の壁Ｗ４およびこれに隣接する第２の壁Ｗ２よりも出入口Ｄからの距離が長い第１の壁Ｗ１に設けられている。また、第３の面光源装置２３は、第４の壁Ｗ４および第２の壁Ｗ２よりも出入口Ｄからの距離が長い第３の壁Ｗ３に設けられている。
【００４４】
図２の例において、部屋の中央にはテーブルＴが設置されている。第４の壁Ｗ４に対向する第３の壁Ｗ３には、スクリーンＳＣが設けられている。第２の壁Ｗ２は、テーブルＴを挟んで第１の壁Ｗ１に対向している。例えば、図２中の破線矢印で示すように、部屋の利用者が出入口Ｄから入室してテーブルＴと第２の壁Ｗ２との間の通路上を第３の壁Ｗ３に向かって進行した後、第２の壁Ｗ２を背にして着席位置Ｐ１に着席する場合、利用者は、第１の壁Ｗ１および第３の壁Ｗ３が視界に入り易く、第２の壁Ｗ２および第４の壁Ｗ４が視界に入り難い傾向にある。このような利用者の視界への入り易さおよび入り難さが異なる壁Ｗ１〜Ｗ４の位置関係に基づいて、システム制御部４は、面光源装置２１〜２４から射出される光による利用者の違和感を抑制するため、面光源装置２１〜２４の発光動作を制御する。別の見方として、第１の壁Ｗ１および第３の壁Ｗ３は利用者の前方に位置し、第２の壁Ｗ２および第４の壁Ｗ４は利用者の後方に位置しているとみなすことができる。さらに別の見方として、第１の壁Ｗ１および第３の壁Ｗ３と、第２の壁Ｗ２および第４の壁Ｗ４とは、空間の中心に対して点対称の関係にあるとみなすこともできる。制御の詳細については後述する。
【００４５】
図３は、本実施形態による空間演出システム１に含まれる面光源装置２１〜２４の一例を示す断面図である。図４は、本実施形態による空間演出システム１に含まれる面光源装置２１〜２４の一例を示す拡大断面図である。
【００４６】
図３に示すように、面光源装置２１〜２４は、発光面２１０ａを有し、光源の一例である発光体２２０から射出した光を面状光に変換する光学部材２１０を備える。発光面２１０ａの或る位置からの出射光量は、当該位置よりも発光面２１０ａに沿った鉛直方向ｄ１における上方ｄ１１に位置する発光面２１０ａの他の或る位置からの出射光量よりも少なくてもよい。このようにすることで、空間Ｓの雰囲気を効果的に高めることが可能となる。とりわけ、発光面２１０ａの鉛直方向ｄ１における下方ｄ１２の縁部での発光量を低減することで、発光面２１０ａと発光面２１０ａの外側の領域との間における光の継ぎ目を目立たなくすることができる。これにより、空間Ｓの雰囲気をより効果的に高めることが可能となる。
【００４７】
面光源装置２１〜２４の更に具体的な構成について説明すると、面光源装置２１〜２４は、建材パネル２０の最前面となる化粧面を形成する化粧シート６を有している。化粧シート６は、光学部材２１０の発光面２１０ａに対面する発光領域Ｚ１と、発光領域Ｚ１に隣接する非発光領域Ｚ２と、を含んでいる。このように、空間Ｓの明るさ向上を主目的としたベース照明装置３とは別途に、面光源装置２１〜２４によって化粧シート６を透過照明することで、有限な空間Ｓに対して広がりを付与することができる。とりわけ、化粧シート６の発光領域Ｚ１を限られた範囲とし、さらに、光学部材２１０の発光面２１０ａを化粧シート６で隠蔽することで、化粧シート６上の光の継ぎ目すなわち発光領域Ｚ１と非発光領域Ｚ２との継ぎ目は、発光面２１０ａが剥き出しの場合の発光面２１０ａとその外側領域との継ぎ目よりも更に目立たなくなる。この工夫により、光源の存在感を効果的に薄めた状態にて、空間Ｓを演出することができ、これにより、空間Ｓの雰囲気を更に効果的に高めることができる。
【００４８】
面光源装置２１〜２４は、主たる構成要素として、上述したように、化粧シート６及び光学部材２１０を有している。図示された具体例において、面光源装置２１〜２４は、全体として板状に形成され、その一部またはその全部により建材パネル２０を構成する。図３に示すように、建材パネル２０は、壁Ｗ１〜Ｗ４に重ねられた状態で部屋の内壁材として機能してもよい。このような例において、建材パネル２０の構成要素の全部または一部が、建材パネル２０を作製するための組立キットとして取り扱われ、流通や販売されるようにしてもよい。或いは、建材パネル２０が単独で、部屋の内壁をなすようにしてもよい。
【００４９】
図３に示された一具体例において、建材パネル２０は、化粧シート６及び光学部材２１０に加え、補助建材７、留具９及びボード５を有している。
【００５０】
図１および図３に示すように、化粧シート６は、空間Ｓに露出している。そして、化粧シート６は、面光源装置２１〜２４の最出光側の面を形成する。化粧シート６として、建築物の壁紙、床及び天井等の内装材、車両等の移動体の内装材、家具や電気機器等の最表面を形成する部材等を用いることができる。
【００５１】
上述のように、化粧シート６は、光学部材２１０の発光面２１０ａに対面する発光領域Ｚ１と、発光面２１０ａに対面する位置からずれた非発光領域Ｚ２と、を含んでいる。非発光領域Ｚ２は、発光領域Ｚ１に隣接している。化粧シート６は、発光領域Ｚ１において、光学部材２１０により背面側から光を照射される。化粧シート６は、少なくとも発光領域Ｚ１において、可視光透過性を有している。このため、光学部材２１０の発光面２１０ａから射出した光の少なくとも一部が、化粧シート６の発光領域Ｚ１を透過することができる。このように化粧シート６は透過照明されることから、透過率の比較的高い白色系の壁紙が化粧シート６として好適に用いられる。ただし、透過率の比較的低い壁紙、例えば木目調の壁紙でも十分有効に透過照明されて後述する作用効果を奏することができ、化粧シート６の柄等は特に限定されるものではない。化粧シート６の発光領域Ｚ１における可視光線透過率は、１．０％以上であることが好ましく、１０％以上であることがより好ましい。可視光線透過率は、赤外可視紫外分光光度計（（株）島津製作所社製  ＵＶ３１００ＰＣ）を使用し、ＪＩＳ  Ａ５７５９−２００８に従い３８０ｎｍ以上７８０ｎｍ以下の波長域における分光透過率測定し、同規格に規定される算出式により算出したものである。
【００５２】
図３に示すように、発光領域Ｚ１及び非発光領域Ｚ２は、鉛直方向ｄ１に配列されている。発光領域Ｚ１は、鉛直方向ｄ１における上方ｄ１１側に位置し、非発光領域Ｚ２は、鉛直方向ｄ１における下方Ｄ１２側に位置している。
【００５３】
なお、面光源装置２１〜２４による空間の雰囲気を高める効果を期待する観点から、化粧シート６の発光領域Ｚ１及び非発光領域Ｚ２の境界を目立たなくさせることが好ましい。この点から、化粧シート６は、発光領域Ｚ１及び非発光領域Ｚ２において、同一の構成を有していることが好ましい。
【００５４】
図３に示すように、ボード５は、板状の部材である。ボード５は、少なくとも化粧シート６の非発光領域Ｚ２に対面して配置される。化粧シート６は、ボード５に貼合されていてもよい。この場合、ボード５によって、化粧シート６を安定して支持することができる。
【００５５】
図３に示された例において、ボード５は、非発光領域Ｚ２及び発光領域Ｚ１の両方に対面して配置されている。このボード５は、発光領域Ｚ１に対面する位置に凹部５１を設けられている。ボード５の凹部５１内に、光学部材２１０が収容されている。図３の例によれば、ボード５によって、光学部材２１０を安定して支持することができる。留具９は、ボード５に設けられており、ボード５上に光学部材２１０を固定する。また、留具９に加えて又は留具９に代えて、接着剤や粘着剤などを含む接合層によって、ボード５と光学部材２１０とを固定するようにしてもよい。
【００５６】
光学部材２１０の発光面２１０ａは、化粧シート６の非発光領域Ｚ２に対面するボード５の表面５ａと、同一面上に位置していることが好ましい。このように位置決めされたボード５及び光学部材２１０上に、化粧シート６が積層される。この場合、ボード５の表面５ａと光学部材２１０の発光面２１０ａとの間に段差が形成されにくくなり、化粧シート６越しにこの段差が視認されることに起因した化粧シート６の意匠性低下を効果的に抑制することができる。さらには、面光源装置２１〜２４の発光時に光学部材２１０の存在を効果的に目立たなくさせることができ、面光源装置２１〜２４による空間Ｓの雰囲気を高める効果がより顕著に奏されるようになる。
【００５７】
ボード５は、化粧シート６の用途に応じて決定される。化粧シート６が、壁、床、天井等の表面を加飾する部材をなす場合、一例として、ボード５は、種樹木の木材からなる単板、合板、集成材、パーチクル板、纖維板等の木製板材、コンクリート、モルタル等のセメント系材料、石膏ボード、珪酸カルシウム等からなる無機非金屬板、或いは鉄、アルミニウム等からなる金屬板となる。化粧シート６が、車両等の移動体の内装材をなす場合、ボード５は、例えば樹脂製板材、或いは金屬板となる。化粧シート６が、家具や電気製品をなす場合、ボード５は、例えば木製板材や樹脂製板材となる。なお、面光源装置２１〜２４の建材パネル３への適用において、ボード５は、耐燃性や耐火性を有していることが好ましい。
【００５８】
なお、図３では、留具９の図示にともなって、化粧シート６が、ボード５及び光学部材２１０との間に隙間を空けて図示されている。しかしながら、隙間をあけることなくボード５及び光学部材２１０に貼合されるようにしてもよい。
【００５９】
補助建材７は、天井ＣＥと壁Ｗ１〜Ｗ４との取り合い部に設ける部材である。補助建材７は、天井ＣＥと壁Ｗ１〜Ｗ４とのつなぎ目を覆い、建材パネル２０の意匠性を向上させる。補助建材７として、「回り縁」や「幅木」と呼ばれる部材を用いることができる。ただし、補助建材７を省略することも可能である。
【００６０】
図３に示すように、光学部材２１０は、面状光を射出する発光面２１０ａを有している。光学部材２１０は、その発光面２１０ａが化粧シート６の一部分のみに対面するように、位置決めされている。
【００６１】
ここで、面光源装置２１〜２４の具体例について説明する。図４に示された面光源装置２１〜２４は、エッジライト型の面光源装置２１〜２４として構成されている。この面光源装置２１〜２４は、発光体２２０と、光学部材２１０とを有している。光学部材２１０は、光拡散シート２１２と、反射シート２１３と、導光板２１１と、を有している。なお、面光源装置２１〜２４は、例えば、直下型ＬＥＤを用いた面光源装置、ＥＬ（Electro Luminescence）シートを用いた面光源装置等を用いてもよいし、上記のいずれかとエッジライト方式の面光源装置との組合せにより構成されてもよい。
【００６２】
発光体２２０は、光を発光する。発光体２２０の具体的な態様は特に限定されることなく、光を発光する種々の部材を広く用いることができる。具体的には、例えば、冷陰極管、点状のフルカラー発光ダイオード（ＬＥＤ）、白熱電球、レーザー発振装置等を、発光体２２０として用いることができる。図３示された例において、発光体２２０は、補助建材７によって保持されている。発光体２２０は、補助建材７の長手方向である図２に示される水平方向ｄ２に沿って、間隔をあけて複数配列されている。補助建材７が取り外し可能な場合、補助建材７とともに複数の発光体２２０を壁Ｗ１〜Ｗ４から取り外し、複数の発光体２２０の一部又は全部の交換作業を行うことができる。
【００６３】
導光板２１１は、一対の主面２１１ａ，２１１ｂと、一対の主面２１１ａ，２１１ｂ間に位置する側面と、を有した板状の部材である。一方の主面が出光面２１１ａをなし、他方の主面が裏面２１１ｂをなしている。主面２１１ａ，２１１ｂは、典型的には、平面視矩形形状となる。主面２１１ａ，２１１ｂは、鉛直方向ｄ１の沿って延びる一対の側縁と、鉛直方向ｄ１に直交する水平方向ｄ２に沿って延びる一対の側縁と、を有している。
【００６４】
図４に示すように、導光板２１１は、鉛直方向ｄ１における上端側に位置する入光面２１１ｄを有している。入光面２１１ｄは、補助建材７に沿うようにして水平方向ｄ２に延びている。そして、入光面２１１ｄは、補助建材７に保持された発光体２２０に対面している。複数の発光体２２０は、入光面２１１ｄの長手方向である水平方向ｄ２に沿って、間隔をあけて配列されている。
【００６５】
図４に示すように、発光体２２０から射出した光は、導光板２１１に入射して導光板２１１内を進む。導光板２１１の主面２１１ｂには、取出要素として機能する凹部２１１ｃが設けられている。凹部２１１ｃは、導光板２１１内を進む光Ｌ１，Ｌ２の進行方向を変化させる。発光体２２０から射出した光は、導光板２１１に入光面２１１ｄから入射し、反射とりわけ全反射することで当該導光板２１１内を進む。導光板２１１内を進む光Ｌ１，Ｌ２は、凹部２１１ｃによって進行方向を変化させること、とりわけ散乱することで、導光板２１１の一対の主面２１１ａ，２１１ｂに全反射臨界角度未満の入射角度で入射して導光板２１１から出射することが可能となる。
【００６６】
凹部２１１ｃで進行方向を変えられた光は、一対の主面２１１ａ，２１１ｂのいずれかを介して、導光板２１１から出射する。導光板２１１の出光面２１１ａに対面して、光拡散シート２１２が設けられている。導光板２１１の出光面２１１ａから出射した光Ｌ１，Ｌ２は、次に、この光拡散シート２１２に入射する。光拡散シート２１２は、光拡散機能を有しており、透過光に起因した輝度角度分布を整えることができる。光拡散シート２１２は、光学部材２１０の発光面２１０ａを形成している。光拡散シート２１２で拡散された光は、光学部材２１０から射出して化粧シート６に向かう。光拡散シート２１２には、光拡散機能を発揮し得る種々の構成を採用することができる。光拡散シート２１２が有する拡散特性は、等方性であってもよいし、異方性であってもよい。
【００６７】
導光板２１１の裏面２１１ｂに対面して、反射シート２１３が設けられている。反射シート２１３は、裏面２１１ｂから出射する光を反射して、導光板２１１及び光拡散シート２１２へ向けることができる。反射シート２１３を設けることで、光学部材２１０の発光面２１０ａからの出射光量を増大させることができる。これにより、発光体２２０から射出した光の利用効率を向上させることができる。反射シート２１３には、光反射機能を発揮し得る種々の構成を採用することができる。反射シート２１３の反射特性は、正反射であってもよいし、拡散反射であってもよい。反射シート２１３が有する拡散反射特性は、等方性であってもよいし、異方性であってもよい。
【００６８】
（ベース照明装置３）
次に、ベース照明装置３について説明する。図１および図３に示すように、ベース照明装置３は、天井ＣＥに取り付けられ、照明光Ｌｘを空間Ｓに上方から放出する。ベース照明装置３は、天井ＣＥに固定されていてもよいし、天井ＣＥから吊り下げられていてもよい。ベース照明装置３は、人の視覚を通した空間Ｓ内の把握を補助するものである。したがって、ベース照明装置３として、一般的な、室内照明用の器具を用いることができる。
ベース照明装置３から射出する照明光Ｌｘは、特に限定されないが、白色系とすることで自然な照明を可能とすることができる。
【００６９】
（システム制御部４）
次に、システム制御部４について説明する。図５は、本実施形態による空間演出システム１を示すブロック図である。システム制御部４は、面光源装置２１〜２４から空間Ｓに射出される光の明るさおよび色の少なくとも一方を制御するものである。
【００７０】
図３および図５の例において、システム制御部４は、面光源装置２１〜２４の発光体２２０に電気的に接続されている。システム制御部４は、図示しない電源から発光体２２０に供給される電力を制御することで、発光体２２０の発光動作を制御する。発光体２２０の発光動作を制御することで、システム制御部４は、面光源装置２１〜２４から空間Ｓに射出される光の明るさおよび色の少なくとも一方を制御する。
【００７１】
システム制御部４は、面光源装置２１〜２４に所期の発光動作を行わせることができるものであれば、その具体的な態様は特に限定されない。例えば、システム制御部４は、電源から発光体２２０に電力を供給する電気回路に組み込まれ、電気回路の回路素子の動作を制御する制御回路や、制御回路の処理に用いるデータが記憶された記憶装置などのハードウェアで構成される。システム制御部４の少なくとも一部をソフトウェアで構成してもよい。システム制御部４は、その全てが建材パネル２０の外部に設けられていてもよく、あるいは、その少なくとも一部が建材パネル２０の内部に設けられていてもよい。また、システム制御部４は、その一部の構成部が、他の構成部との間でネットワークを通じた通信によって連携可能であってもよい。また、システム制御部４は、その一部の構成部が、他の構成部との間で外部ネットワークを通じて通信可能な装置、例えばクラウド上のサーバやデータベース上にあってもよい。また、システム制御部４は、後述する利用状況情報を取得するため、通信装置や入出力ポート等の利用状況情報を生成する外部機器とのインターフェースを備えていてもよい。
【００７２】
システム制御部４は、壁Ｗ１〜Ｗ４の位置関係に応じた順序すなわちタイミングにしたがって、電源から発光体２２０に供給される電力を変化させることで、面光源装置２１〜２４から空間Ｓに射出される光の明るさおよび色の少なくとも一方を変化させる。システム制御部４は、予め設定された当該変化の順序に関するデータやコマンドを外部の記憶装置または自らの記憶領域から取得し、取得されたデータやコマンドに基づいて、当該変化の順序にしたがって面光源装置２１〜２４の光の明るさおよび色の少なくとも一方を変化させてもよい。
【００７３】
より具体的には、システム制御部４は、出入口Ｄからの距離が短い壁Ｗ２、Ｗ４に設けられた第２の面光源装置２２および第４の面光源装置２４から射出される光の明るさおよび色の少なくとも一方を変化させた後に、出入口Ｄからの距離が長い壁Ｗ１、Ｗ３に設けられた第１の面光源装置２１および第３の面光源装置２３から射出される光の明るさおよび色の少なくとも一方を変化させる。
【００７４】
例えば、システム制御部４は、第２の面光源装置２２および第４の面光源装置２４から射出される光の明るさを増加させた後に、第１の面光源装置２１および第３の面光源装置２３から射出される光の明るさを増加させてもよい。
【００７５】
また、システム制御部４は、第２の面光源装置２２および第４の面光源装置２４から射出される光の色を濃くした後に、第１の面光源装置２１および第３の面光源装置２３から射出される光の色を濃くしてもよい。
【００７６】
なお、図３に示される例において、明るさの変化は、輝度計で空間Ｓの内部から化粧シート６の化粧面の輝度を測定し、測定された輝度の変化として検出することができる。また、色の変化は、色温度計によって空間Ｓの内部から化粧シート６の化粧面の色温度を測定し、測定された色温度の変化として検出することができる。より具体的には、色の変化は、ＪＩＳ  Ｚ  ８７３０：２００９に記載されている色差：ΔＥ＊ａｂの０．２よりも大きい変化として検出することができる。
【００７７】
また、図５の例において、システム制御部４は、部屋すなわち空間Ｓの利用状況を示す利用状況情報を取得する。そして、システム制御部４は、取得された利用状況情報に示される利用状況にしたがって、面光源装置２１〜２４から射出される光の明るさおよび色の少なくとも一方を変化させる。
【００７８】
利用状況情報としては、例えば、利用者の入室時からの経過時間を示す時間情報、部屋内の利用者の位置を示す位置情報、利用者の着席状態を示す着席情報、部屋の利用のスケジュールを示すスケジュール情報等を挙げることができる。利用状況情報を取得するための具体的な態様は特に限定されない。システム制御部４は、自らの演算機能によって利用状況情報を取得してもよいし、または、外部の検出装置で検出された利用状況情報を検出装置から取得してもよい。
【００７９】
例えば、システム制御部４は、入室時にベース照明装置３を点灯させるスイッチがオンされたことを電気的に検知し、スイッチがオンされた時刻からの経過時間をタイマ機能で計測することによって時間情報を取得してもよい。また、システム制御部４は、赤外線センサやカメラによる室内の物体の検出信号を取得し、取得された検出信号に基づいて位置情報を取得してもよい。また、システム制御部４は、椅子に設けられたシートスイッチから、着席情報としてオン信号またはオフ信号を取得してもよい。また、システム制御部４は、部屋のスケジュールを管理する部屋の予約システムとの通信によってスケジュール情報を取得してもよい。
【００８０】
部屋の利用状況にしたがって面光源装置２１〜２４から射出される光の明るさおよび色の少なくとも一方を変化させる制御の具体的な態様は特に限定されない。システム制御部４は、単一の利用状況情報に基づいて面光源装置２１〜２４から射出される光の明るさおよび色の少なくとも一方を変化させてもよい。または、システム制御部４は、複数の利用状況情報の組合せに基づいて面光源装置２１〜２４から射出される光の明るさおよび色の少なくとも一方を変化させてもよい。
【００８１】
例えば、システム制御部４は、時間情報、位置情報、および着席情報の少なくとも１つに基づいて、入室時から着席時までの期間内に、第２の面光源装置２２および第４の面光源装置２４から射出される光の明るさおよび色の少なくとも一方を、目標とする明るさ、色まで変化させてもよい。そして、システム制御部４は、時間情報およびスケジュール情報の少なくとも一方に基づいて、着席時から会議開始時までの期間内に、第１の面光源装置２１および第３の面光源装置２３から射出される光の明るさおよび色の少なくとも一方を、目標とする明るさ、色まで変化させてもよい。
【００８２】
このように、出入口Ｄから近い位置Ｗ２、Ｗ４に設けられた面光源装置２２、２４の光の明るさ、色を変化させた後に、出入口Ｄから遠い位置Ｗ１、Ｗ３に設けられた面光源装置２１、２３の光の明るさ、色を変化させることで、利用者の視界に入り易い面光源装置２１、２３の光の明るさおよび色が急激に変化することによって利用者に違和感を与えることを回避することができる。違和感を回避することで、部屋内の空間Ｓの雰囲気を効果的に演出することができる。なお、面光源装置２１〜２４から射出される光の明るさおよび色の変化は、連続的および段階的のいずれでもよいが、違和感をより効果的に抑えるためには、連続的であることがより好ましい。
【００８３】
なお、システム制御部４は、例えば、会議開始後において、特定の位置Ｐ２に存在する特定の利用者の視界に入り易い面光源装置２２、２４の光の明るさおよび色の少なくとも一方を変化させてもよい。一例として、図２には、スクリーンＳＣを用いてプレゼンテーションを行う利用者の位置Ｐ２が例示されている。このような利用者に対しては、視界に入り易い面光源装置２２、２４から射出される光の明るさ、色を、緊張感の緩和等に効果的な明るさ、色に変化させてもよい。このように、特定の利用者に向けて、視界に入り易い位置に設けられた面光源装置２１〜２４の光の明るさ、色を積極的に変化させることで、特定の利用者に好適な空間Ｓの雰囲気を演出することが可能となる。
【００８４】
これ以外にも、例えば、システム制御部４は、スケジュール情報等に基づいて現在の時刻が会議中および休憩中のいずれであるかを判定し、会議中である場合、利用者に活気を与えるのに効果的な例えば赤色系の光を射出するように面光源装置２１〜２４を制御してもよい。一方、休憩中である場合、システム制御部４は、利用者に安らぎを与えるのに効果的な例えば緑色系の光を射出するように面光源装置２１〜２４を制御してもよい。
【００８５】
また、システム制御部４を空間Ｓの演出効果を高めるため、既述した利用状況情報以外の利用状況情報を用いてもよい。
【００８６】
例えば、図４に示すように、システム制御部４は、利用者が装着しているウェアラブル機器との通信によって、ウェアラブル機器から利用者の脈拍、血圧を測定した健康状態測定情報を取得してもよい。この場合、システム制御部４は、取得された健康状態測定情報に基づいて、利用者が疲れているか否かを判定してもよい。そして、システム制御部４は、健康状態測定情報に示される利用者の脈拍および血圧の上昇量が閾値を超えたことで利用者が疲れていると判定した場合、利用者に癒しを与えるのに効果的な例えば緑色系または紫色系の光を射出するように面光源装置２１〜２４を制御してもよい。
【００８７】
また、図５に示すように、システム制御部４は、部屋に設置されている音響システムとの通信によって、音響システムからマイクに入力された音声情報を取得してもよい。そして、システム制御部４は、入力された音声情報に示される音量が閾値を超えた場合には、利用者に落ち着きを与えるのに効果的な例えば青色系の光を射出するように面光源装置２１〜２４を制御してもよい。
【００８８】
また、図５に示すように、システム制御部４は、部屋内に設置されている照度計から、部屋内の照度を測定した照度情報を取得してもよい。そして、システム制御部４は、照度情報に応じて面光源装置２１〜２４の光の明るさを制御してもよい。
【００８９】
（空間演出方法）
以下、空間演出システム１を適用した空間演出方法の一例について、図６を参照して説明する。図６は、本実施形態による空間演出方法を示す図である。図６には、横欄の面光源装置２１〜２４毎に、縦欄の利用状況に対応した動作内容が例示されている。
【００９０】
先ず、利用者の入室前に、システム制御部４は、すべての面光源装置２１〜２４を消灯させておく。
【００９１】
次いで、利用者の入室時に、システム制御部４は、すべての面光源装置２１〜２４から空間Ｓに射出される光を白色に制御する。白色は、ベース照明装置３の照射光と同じ色である。このように、部屋の利用開始時における面光源装置２１〜２４の光の色をベース照明装置３の照射光の色に合わせることで、利用者の違和感を効果的に抑制することができる。
【００９２】
システム制御部４は、面光源装置２１〜２４の白色光の明るさを、ベース照明装置３の白色光の明るさよりも暗くしてもよい。例えば、システム制御部４は、面光源装置２１〜２４の白色光の輝度を、ベース照明装置３の白色光の輝度の１０％以下に制御してもよい。これにより、面光源装置２１〜２４の白色光を目立ち難くすることができるので、利用者の違和感を更に効果的に抑制することができる。
【００９３】
次いで、利用者の着席時に、システム制御部４は、出入口Ｄから近い壁Ｗ２、Ｗ４に設けられた面光源装置２２、２４の光の色を赤紫色に変化させる。このとき、システム制御部４は、出入口Ｄから遠い壁Ｗ１、Ｗ３に設けられた面光源装置２１、２３の光の色の、赤紫色への段階的な変化を開始する。
【００９４】
ここで、出入口Ｄを通って入室してから着席するまでの間、出入口Ｄから遠い壁Ｗ１、Ｗ３は、利用者の進行方向の先に位置するため利用者の視界に入り易い。もし、出入口Ｄから遠い壁Ｗ１、Ｗ３に設けられている面光源装置２１、２３の光の色を着席前に急激に赤紫色に変化させた場合、この変化が利用者の目に留まり易いことで、利用者に違和感を与える虞がある。
【００９５】
これに対して、本実施形態では、入室時から着席時までの間は、出入口Ｄから遠い壁Ｗ１、Ｗ３に設けられている面光源装置２１、２３の光の色を変化させず、入室時の白色のまま維持することができる。これにより、利用者に違和感を与えることを回避することができる。
【００９６】
一方、入室から着席までの間、出入口Ｄから近い壁Ｗ２、Ｗ４は、利用者が背にすることが多いため利用者の視界に入り難い。本実施形態では、出入口Ｄから近い壁Ｗ２、Ｗ４に設けられている面光源装置２２、２４の光の色を着席時までに目標とする赤紫色に変化させることで、利用者への違和感を回避しつつ、空間の雰囲気を迅速に演出することができる。面光源装置２２、２４の目標とする色の変化が完了するタイミングは、同じであってもよいし、異なっていてもよい。壁Ｗ２と壁Ｗ４の調光する領域の面積比に応じて面光源装置２２、２４の光の色の変化の速度を変えてもよい。例えば、壁Ｗ２よりも壁Ｗ４の調光する領域の面積が小さい場合、面光源装置２２を面光源装置２４よりも速く光の色の変化をさせてもよい。
【００９７】
次いで、会議開始の待機時に、システム制御部４は、出入口Ｄから近い壁Ｗ２、Ｗ４に設けられた面光源装置２２、２４の光の色を赤紫色に維持する。このとき、システム制御部４は、出入口Ｄから遠い壁Ｗ１、Ｗ３に設けられた面光源装置２１、２３の光の色の赤紫色への段階的な変化を継続する。面光源装置２１、２３の光の色の変化を開始する前に面光源装置２２、２４の光の色の変化を開始するため、面光源装置２２、２４の光が利用者に事前に少なからず作用し、その結果、面光源装置２１、２３の光の色の変化に利用者が違和感を覚えにくいと考えられる。
【００９８】
次いで、会議開始時に、システム制御部４は、出入口Ｄから近い壁Ｗ２、Ｗ４に設けられた面光源装置２２、２４の光の色を赤紫色に維持する。このとき、システム制御部４は、出入口Ｄから遠い壁Ｗ１、Ｗ３に設けられた面光源装置２１、２３の光の色の赤紫色への段階的な変化を完了する。面光源装置２１、２３の目標とする色の変化が完了するタイミングは、同じであってもよいし、異なっていてもよい。なお、利用者の視界に含まれる壁Ｗ１と壁Ｗ３の割合に応じて面光源装置２１、２３の光の色の変化の速度を変えてもよい。例えば、利用者の視界に壁Ｗ１よりも壁Ｗ３の方が多く含まれている場合、面光源装置２１を面光源装置２３よりも速く光の色の変化をさせてもよい。また、壁Ｗ１と壁Ｗ３の調光する領域の面積比に応じて面光源装置２１、２３の光の色の変化の速度を変えてもよい。例えば、壁Ｗ１よりも壁Ｗ３の調光する領域の面積が小さい場合、面光源装置２１を面光源装置２３よりも速く光の色の変化をさせてもよい。
【００９９】
このように、出入口Ｄから遠い壁Ｗ１、Ｗ３に設けられた面光源装置２１、２３の光の色を、一定時間をかけて徐々に変化させることで、利用者に与える違和感をさらに確実に回避することができる。
【０１００】
次いで、会議中に、システム制御部４は、目的に応じて面光源装置２１〜２４の光を調光する。例えば、システム制御部４は、既述した音声情報等に基づいて会議が紛糾していることを検知し、冷静な議論ができるように面光源装置２１〜２４の光の色を青色系に変化させてもよい。
【０１０１】
次いで、会議終了後、システム制御部４は、すべての面光源装置２１〜２４の光の色を白色に変化させる。
【０１０２】
次いで、退出時に、システム制御部４は、すべての面光源装置２１〜２４の光を白色光に維持するか、または、消灯させる。
【０１０３】
以上説明したように、本実施形態において、面光源装置２１〜２４は、壁Ｗ１〜Ｗ４の位置関係に応じた順序にしたがって、面光源装置２１〜２４から射出される光の明るさおよび色の少なくとも一方を変化させる。具体的には、本実施形態においては、第２、第４の面光源装置２２、２４がその光の明るさおよび色の少なくとも一方を変化させた後に、第１、第３の面光源装置２１、２３がその光の明るさおよび色の少なくとも一方を変化させる。これにより、部屋の利用者に与える違和感を回避して、空間の雰囲気を効果的に演出することができる。
【０１０４】
（第１の変形例）
図７は、本実施形態の第１の変形例による空間演出システム１に含まれる面光源装置２２の一例を示す正面図である。以下、図７を参照して第１の変形例による空間演出システム１について説明する。
【０１０５】
これまでは、壁Ｗ１〜Ｗ４の位置関係としての出入口Ｄから壁Ｗ１〜Ｗ４までの距離に応じた順序にしたがって、面光源装置２１〜２４の光の色および明るさの少なくとも一方を変化させる例について説明した。
【０１０６】
これに対して、第１の変形例では、壁Ｗ１〜Ｗ４の位置関係としての出入口Ｄから壁Ｗ１〜Ｗ４の繋ぎ目に位置する角部Ｃ１〜Ｃ４までの距離に応じた順序にしたがって、面光源装置２１〜２４の光の色および明るさの少なくとも一方を変化させる。
【０１０７】
角部Ｃ１〜Ｃ４の配置は、図２に示したとおりである。具体的には、図２に示すように、第１の角部Ｃ１は、第２の壁Ｗ２の出入口Ｄと反対側の端部と、第３の壁Ｗ３の出入口Ｄ側の端部との繋ぎ目に位置する。第２の角部Ｃ２は、第２の壁Ｗ２の出入口Ｄ側の端部と、第４の壁Ｗ４の出入口Ｄ側の端部との繋ぎ目に位置する。第３の角部Ｃ３は、第４の壁Ｗ４の出入口Ｄと反対側の端部と、第１の壁Ｗ１の出入口Ｄ側の端部との繋ぎ目に位置する。第４の角部Ｃ４は、第１の壁Ｗ１の出入口Ｄと反対側の端部と、第３の壁Ｗ３の出入口Ｄと反対側の端部との繋ぎ目に位置する。
【０１０８】
角部Ｃ１〜Ｃ４のうち、第２の角部Ｃ２は、出入口Ｄからの距離が最も短く、第４の角部Ｃ４は、出入口Ｄからの距離が最も長い。
【０１０９】
第１の変形例において、システム制御部４は、出入口Ｄからの距離が最も短い第２の角部Ｃ２における光の明るさおよび色の少なくとも一方を最初に変化させた後、出入口Ｄからの距離が最も長い第４の角部Ｃ４における光の明るさおよび色の少なくとも一方を最後に変化させる。
【０１１０】
このように出入口Ｄ側の角部Ｃ２から出入口Ｄと反対側の角部Ｃ４に向かう順序にしたがって光の明るさ、色を変化させるための構成例を図７に示す。
【０１１１】
図７の例において、出入口Ｄからの距離が短い第２および第４の面光源装置２２、２４の発光面２１０ａは、光の明るさ及び色の変化のタイミングが異なる第２の角部Ｃ２側の第３の発光領域Ａ３と、第１または第３の角部Ｃ１、Ｃ３側の第４の発光領域Ａ４とを有する。また、出入口Ｄからの距離が長い第１および第３の面光源装置２１、２３の発光面２１０ａは、光の明るさ及び色の変化のタイミングが異なる第１または第３の角部Ｃ１、Ｃ３側の第１の発光領域Ａ１と、第４の角部Ｃ４側の第２の発光領域Ａ２とを有する。
【０１１２】
システム制御部４は、第２および第４の面光源装置２２、２４の発光面２１０ａのうちの出入口Ｄからの距離が短い第３の発光領域Ａ３から射出される光の明るさおよび色の少なくとも一方を変化させた後に、出入口Ｄからの距離が長い第４の発光領域Ａ４から射出される光の明るさおよび色の少なくとも一方を変化させる。
【０１１３】
このような光の明るさ、色の変化は、第３の発光領域Ａ３に対応する位置に配置された発光体２２０に供給される電力を変化させた後に、第４の発光領域Ａ４に対応する位置に配置された発光体２２０に供給される電力を変化させることで具現化することができる。
このとき、システム制御部４は、第２および第４の面光源装置２２、２４の発光面２１０ａの出入口Ｄ側の一端から出入口Ｄと反対側の他端に向かって、漸次または段階的に光の明るさおよび色の少なくとも一方を変化させてもよい。これにより、違和感をさらに効果的に防止することができる。
【０１１４】
このようにして、第２の角部Ｃ２における光の明るさ、色を変化させた後に、第１の角部Ｃ１および第３の角部Ｃ３における光の明るさ、色を変化させることができる。
【０１１５】
その後、システム制御部４は、第１および第３の面光源装置２１、２３の発光面２１０ａのうちの出入口Ｄからの距離が短い第１の発光領域Ａ１から射出される光の明るさおよび色の少なくとも一方を変化させた後に、出入口Ｄからの距離が長い第２の発光領域Ａ２から射出される光の明るさおよび色の少なくとも一方を変化させる。
【０１１６】
このような光の明るさ、色の変化は、第１の発光領域Ａ１に対応する位置に配置された発光体２２０に供給される電力を変化させた後に、第２の発光領域Ａ２に対応する位置に配置された発光体２２０に供給される電力を変化させることで具現化することができる。
このとき、システム制御部４は、第１および第３の面光源装置２１、２３の発光面２１０ａの出入口Ｄ側の一端から出入口Ｄと反対側の他端に向かって、漸次または段階的に光の明るさおよび色の少なくとも一方を変化させてもよい。これにより、違和感をさらに効果的に防止することができる。
【０１１７】
このようにして、第１の角部Ｃ１および第３の角部Ｃ３における光の明るさ、色を変化させた後に、第４の角部Ｃ４における光の明るさ、色を変化させることができる。
【０１１８】
（空間演出方法）
以下、図７の空間演出システム１を適用した空間演出方法の一例について、図８を参照して説明する。図８は、本実施形態の第１の変形例による空間演出方法を示す図である。
【０１１９】
先ず、利用者の入室前に、システム制御部４は、すべての角部Ｃ１〜Ｃ４における光を消灯させておく。
【０１２０】
次いで、利用者の入室時に、システム制御部４は、すべての角部Ｃ１〜Ｃ４における光の色を白色に制御する。
【０１２１】
次いで、利用者の着席時に、システム制御部４は、出入口Ｄから最も近い第２の角部Ｃ２における光の色を赤紫色に変化させる。
【０１２２】
次いで、会議開始の待機時に、システム制御部４は、第２の角部Ｃ２の次に出入口Ｄから近い第１の角部Ｃ１および第３の角部Ｃ３における光の色を赤紫色に変化させる。
【０１２３】
次いで、会議開始時に、システム制御部４は、出入口Ｄから最も遠い第４の角部Ｃ４における光の色を赤紫色に変化させる。
【０１２４】
次いで、会議中に、システム制御部４は、目的に応じて角部Ｃ１〜Ｃ４における光を調光する。
【０１２５】
次いで、会議終了後、システム制御部４は、すべての角部Ｃ１〜Ｃ４における光の色を白色に変化させる。
【０１２６】
次いで、退出時に、システム制御部４は、すべての角部Ｃ１〜Ｃ４における光を白色光に維持するか、または、消灯させる。
【０１２７】
第１の変形例によれば、出入口Ｄから近い壁Ｗ２、Ｗ４のうち、出入口Ｄにより近い角部Ｃ２における光の明るさ、色を最初に変化させ、出入口Ｄから遠い壁Ｗ１、Ｗ３のうち、出入口Ｄからより遠い第４の角部Ｃ４における光の明るさ、色を最後に変化させることができる。これにより、利用者の違和感を更に確実に回避して、空間の演出効果を更に高めることができる。
【０１２８】
（第２の変形例）
図９は、本実施形態の第２の変形例による空間演出システム１を示す斜視図である。これまでは、面光源装置２１〜２４が異なる壁Ｗ１〜Ｗ４に設けられている例について説明した。これに対して、第２の変形例では、同一の壁に複数の面光源装置が設けられている。
【０１２９】
具体的には、図９に示すように、第２の壁Ｗ２には、第２の面光源装置２２に加えて、更に、第５の面光源装置２５と、第６の面光源装置２６とが設けられている。第５の面光源装置２５は、第２の面光源装置２２よりも出入口Ｄからの距離が短い。第６の面光源装置２６は、第５の面光源装置２５よりも出入口Ｄからの距離が短い。
【０１３０】
図１０は、本実施形態の第２の変形例による空間演出システム１に含まれる面光源装置２２、２５、２６を示す正面図である。図１０の例において、面光源装置２２、２５、２６は、それぞれが建材パネル２０に組み込まれている。面光源装置２２、２５、２６は、水平方向ｄ２に沿って各建材パネル２０をタイリングすることで、水平方向ｄ２において殆ど隙間なく隣り合っている。
【０１３１】
図１１は、本実施形態の第２の変形例による空間演出方法を示す図である。システム制御部４は、同一の壁Ｗ２の異なる位置に設けられた面光源装置２２、２５、２６に対しても、異なる壁Ｗ１〜Ｗ４に設けられた面光源装置２１〜２４に対する発光制御と同様の発光制御を行う。
【０１３２】
具体的には、図１１に示すように、システム制御部４は、時間の経過にしたがって、出入口Ｄに最も近い第６の面光源装置２６から、出入口Ｄから最も遠い第２の面光源装置２２に向かって順に、光の明るさを段階的に増加させる。なお、図１１には、面光源装置２２、２５、２６からの光の明るさが、“０”〜“３”の明るさのレベルで表現されている。光の明るさは、発光体２２０に供給される電力、例えば電流を増加させることによって増加させることができる。
【０１３３】
第２の変形例においても、部屋の利用者に与える違和感を回避して、空間の雰囲気を効果的に演出することができる。また、部屋のサイズに応じてタイリングする建材パネル２０の枚数を変更することで、部屋の広さに制約されずに空間を演出することができる。
【０１３４】
（第３の変形例）
図１２は、本実施形態の第３の変形例による空間演出システム１に含まれる面光源装置２２、２５、２６を示す正面図である。図１３は、本実施形態の第３の変形例による空間演出方法を示す図である。
【０１３５】
図１０および図１１では、利用者の視界に入り難い出入口Ｄ側ｄ２１の面光源装置２６から、利用者の視界に入り易い出入口Ｄと反対側ｄ２２の面光源装置２２に向かって順に、光の明るさおよび色の少なくとも一方を変化せる例について説明した。
【０１３６】
これに対して、第３の変形例におけるシステム制御部４は、図１３に示すように、面光源装置２２、２５、２６の発光面２１０ａのうち、先ず、利用者の目線から上方ｄ１１に最も離れた上部発光領域２２１、２５１、２６１の明るさをレベル“１”まで増加させる。
【０１３７】
次に、システム制御部４は、面光源装置２２、２５、２６の発光面２１０ａのうち、下方ｄ１２において上部発光領域２２１、２５１、２６１に隣接する中間部発光領域２２２、２５２、２６２の明るさをレベル“１”まで増加させる。このとき、システム制御部４は、上部発光領域２２１、２５１、２６１の明るさをレベル“２”まで増加させる。
【０１３８】
次に、システム制御部４は、面光源装置２２、２５、２６の発光面２１０ａのうち、利用者の目線に最も近い下部発光領域２２３、２５３、２６３の明るさをレベル“１”まで増加させる。このとき、システム制御部４は、中間部発光領域２２２、２５２、２６２の明るさをレベル“２”まで増加させ、また、上部発光領域２２１、２５１、２６１の明るさをレベル“３”まで増加させる。上部発光領域２２１、２５１、２６１と中間部発光領域２２２、２５２、２６２との位置関係において、上部発光領域２２１、２５１、２６１は第２の光射出部すなわち第２の発光領域に相当し、中間部発光領域２２２、２５２、２６２は、第１の光射出部すなわち第１の発光領域に相当する。中間部発光領域２２２、２５２、２６２と下部発光領域２２３、２５３、２６３との位置関係において、中間部発光領域２２２、２５２、２６２は第２の光射出部すなわち第２の発光領域に相当し、下部発光領域２２３、２５３、２６３は第１の光射出部すなわち第１の発光領域に相当する。
【０１３９】
エッジライト方式の面光源装置２２、２５、２６においては、発光体２２０への供給電力を増加させて導光板２１１の入光量を増加させることで、図１３に示すように、発光体２２０側ｄ１１から反対側ｄ１２に向かって光の明るさを段階的に増加させることができる。
【０１４０】
第３の変形例によれば、利用者の目線の高さから最も離れた視界に入り難い上部発光領域２２１、２５１、２６１から、利用者の目線の高さに最も近い視界に入り易い下部発光領域２２３、２５３、２６３に向かって順に、光の明るさおよび色の少なくとも一方を変化させることができる。これにより、第３の変形例においても、部屋の利用者に与える違和感を回避して、空間の雰囲気を効果的に演出することができる。
【０１４１】
（第４の変形例）
図１４は、本実施形態の第４の変形例による空間演出方法を示す図である。図１４に示すように、第２の変形例と第３の変形例とを組み合わせてもよい。
【０１４２】
すなわち、第４の変形例においては、出入口Ｄに最も近く且つ利用者の目線から最も離れた最も視界に入り難い第６の面光源装置２６の上部発光領域２６１から、出入口Ｄから最も遠く且つ利用者の目線の高さに最も近い最も視界に入り易い第２の面光源装置２２の下部発光領域２２３に向かって、光の明るさを段階的に増加させる。
【０１４３】
これにより、第２の変形例および第３の変形例よりもさらに効果的に部屋の利用者に与える違和感を回避して、空間の雰囲気をより効果的に演出することができる。
【０１４４】
（第５の変形例）
図１５は、本実施形態の第５の変形例による空間演出システム１を示す第１の斜視図である。図１６は、本実施形態の第５の変形例による空間演出システム１を示す第２の斜視図である。
【０１４５】
これまでは、壁Ｗ１〜Ｗ４の上端側に面光源装置２１〜２４を設ける例について説明した。これに対して、図１５に示すように、壁Ｗ１〜Ｗ４の下端側に面光源装置２１〜２４を設けてもよい。また、図１６に示すように、利用者の目線の高さにより近い高さに面光源装置２１〜２４を設けることで、演出効果を更に高めてもよい。
【０１４６】
第５の変形例によれば、空間の演出のバリエーションを増やすことができる。
【０１４７】
（第６の変形例）
図５の例では、導光板２１１の取出要素として、凹部２１１ｃを例示した。他の例として、図１７に示すように、取出要素は、導光板２１１に積層された光散乱層２１５とすることができる。光散乱層２１５は、バインダーとして機能する支持層２１５ａと、支持層２１５ａ内に分散した光散乱要素２１５ｂと、を有している。支持層２１５ａは、可視光透過性を有した樹脂から形成され得る。光散乱要素２１５ｂは、反射、屈折、回折等によって、光散乱層２１５内を進行する光の進行方向を変化させる機能を有している。光散乱要素２１５ｂは、支持層２１５ａと異なる屈折率を有していてもよいし、金属等の光反射性を有した材料によって形成されていてもよい。光散乱要素２１５ｂの具体例として、金属化合物、気体を含有した多孔質物質、金属化合物を周囲に保持した樹脂ビーズ、白色微粒子、気泡、周囲と屈折率が異なる粒子が、例示され得る。図１７の例において、導光板２１１内を進む光Ｌ１，Ｌ２は、光散乱層２１５内で光散乱要素２１５ｂと衝突することで進行方向を変化させ、その後、導光板２１１から出射することが可能となる。
【０１４８】
なお、光散乱層２１５の支持層２１５ａの屈折率は、導光板２１１の屈折率以上となっていることが好ましい。光散乱層２１５の支持層２１５ａの屈折率が導光板２１１の屈折率よりも低いと、導光板２１１内を進む光Ｌ３が、導光板２１１と光散乱層２１５との界面で全反射して、光散乱層２１５に入射できない可能性がある。このような光Ｌ３は、入光面２１１ｄから導光板２１１に入射した後、導光板２１１内を反対面２１１ｅまで進むことになる。このような光の存在は、発光体２２０のエネルギー効率が低下させてしまうことになる。支持層２１５ａの屈折率を導光板２１１の屈折率以上とすることで、導光板２１１と光散乱層２１５との界面での全反射を効果的に防止して、光散乱層２１５が取出要素としてより効果的に機能し得る。
【０１４９】
（第７の変形例）
さらに他の例として、図１８に示すように、取出要素として機能する光散乱要素２１５ｂが、導光板本体６５内に分散していてもよい。図１８に示された導光板２１１では、導光板２１１内を進む光Ｌが、光散乱要素２１５ｂに衝突することで散乱し、導光板２１１から出射することができる。光散乱要素２１５ｂとしては、上述した光散乱要素２１５ｂと同様に構成され得る。
【０１５０】
また、導光板２１１は、複数種類の取出要素を含むようにしてもよい。図１８に示された例において、導光板２１１は、光散乱要素２１５ｂを含有し、さらに、凹部２１１ｃを有している。
【０１５１】
さらに、導光板２１１の各領域での凹部２１１ｃに起因した光散乱能は、一定ではなく、異なっていてもよい。すなわち、導光板２１１の光散乱能が、板面に沿った各領域で変化するようにしてもよい。さらに言い換えると、導光板２１１の或る領域での光散乱能は、当該領域から板面に沿ってずれた他の領域での光散乱能と異なっていてもよい。導光板２１１のパネル面に沿った各領域での光散乱能を変化させることにより、各領域からの出射光量を調節することが可能となる。
【０１５２】
光散乱能は、導光板２１１がその内部を通過する光を散乱させる性能の強さのことである。光散乱能の程度は、一例として、ＪＩＳ−Ｋ７３６１−１に準拠して測定されるヘイズ値［％］を用いて評価することができ、ヘイズ値［％］が高いと光散乱能が高いということになる。したがって、図示された例では、導光板２１１の板面への法線方向に透過する透過ヘイズ値が、導光板２１１の各領域で一定ではなく、異なる値を持つようになる。
ヘイズ値［％］は、ヘイズメーター（村上色彩技術研究所製、製品番号；ＨＭ−１５０）を用いてＪＩＳ  Ｋ７１３６に準拠した方法により測定することができる。
【０１５３】
（第８の変形例）
図１９は、本実施形態の第８の変形例による空間演出方法を示す図である。図６では、部屋の利用開始時に、面光源装置２１〜２４の光の色をベース照明装置３の光の色と同じ白色に合わせることで、面光源装置２１〜２４の光による違和感を回避する例について説明した。
【０１５４】
このような面光源装置２１〜２４とベース照明装置３との連携を更に発展させて、面光源装置２１〜２４の光による演出効果を更に高めることも可能である。
【０１５５】
具体的には、図１９の例において、システム制御部４は、面光源装置２１〜２４から射出される光の明るさおよび色の少なくとも一方の変化に応じて、ベース照明装置３の照射光の明るさおよび色の少なくとも一方を変化させる。
【０１５６】
より具体的には、図１９に示すように、システム制御部４は、会議開始時および会議中において、ベース照明装置３の白色光の輝度を低下させる。ベース照明装置３の白色光の輝度を低下させることで、面光源装置２１〜２４の光の明るさを積極的に増加させることによって生じ得る違和感を回避しつつ、面光源装置２１〜２４の光が空間Ｓの雰囲気に与える影響を相対的に大きくすることができる。これによって、面光源装置２１〜２４の光による演出効果を更に高めことが可能となる。
【０１５７】
（第９の変形例）
図２０は、本実施形態の第９の変形例による空間演出システム１に含まれる面光源装置２１〜２４の一例を示す断面図である。さらに、他の変形例として、図２０に示すように、発光面２１０ａを化粧シート６の全面に対面する大きさに形成することで、建材パネル２０がボード５を有さず、また、化粧シート６が非発光領域Ｚ２を有さず発光領域Ｚ１のみを有するようにしてもよい。これにより、発光面２１０ａの面積を大きくして演出効果を更に高めることが可能となる。図２０に示す例に限らず、面光源装置２１〜２４が壁の一部の領域にのみ対面するように構成されていてもよい。
【０１５８】
（第１０の変形例）
本開示の空間演出システム１は、部屋の空間Ｓの演出以外の用途にも適用することができる。
【０１５９】
例えば、図２１に示すように、空間Ｓは、仕切部材である正面側の第１のパーテーションＰＡ１および側面側の第２および第３のパーテーションＰＡ２、ＰＡ３で囲まれた机Ｄ上に位置してもよい。第１の光射出部の一例である第１の面光源装置２０１は、第１の位置の一例である第１のパーテーションＰＡ１に設けられ、第２の光射出部の一例である第２および第３の面光源装置２０２、２０３は、第２の位置の一例である第２および第３のパーテーションＰＡ２、ＰＡ３に設けられていてもよい。面光源装置２０１〜２０３は、エッジライト方式の面光源装置であってもよいが、これに限定されない。そして、第１の面光源装置２０１は、第２および第３の面光源装置２０２、２０３が光の明るさおよび色の少なくとも一方を変化させた後に、光の明るさおよび色の少なくとも一方を変化させてもよい。
【０１６０】
机の利用者は、正面のパーテーションＰＡ１が視界に入り易い傾向にある。図２１の例によれば、視界に入り易い正面のパーテーションＰＡ１に設けられた第１の面光源装置２０１よりも先に、視界に入り難い側面のパーテーションＰＡ２、ＰＡ３に設けられた第２、第３の面光源装置２０２、２０３の光の色、明るさを変化させることができる。これにより、第１の面光源装置２０１の光の色、明るさの変化が目立つことによる利用者の違和感を回避して、空間の雰囲気を効果的に演出することができる。
【０１６１】
また、例えば、図２２に示すように、空間Ｓは、眼鏡ＧのレンズＬの第１面Ｓ１および第２面Ｓ２の少なくとも一方に隣接する空間Ｓであってもよい。第１の光出射部２０Ａは、眼鏡ＧのフレームＦＲのうちレンズＬの高さ方向ｈの一端に隣接する第１フレーム部ＦＲ１上に設けられ、第２の光出射部２０Ｂは、フレームＦＲのうちレンズＬの幅方向Ｗの外端に隣接する第２フレーム部ＦＲ２上に設けられていてもよい。光射出部２０Ａ、２０Ｂは、例えば、フレーム部Ｒ１、Ｒ２に沿ってＬＥＤチップ等の複数の発光体を設けることで構成してもよい。そして、第１の光射出部２０Ａは、第２の光射出部２０Ｂが光の明るさおよび色の少なくとも一方を変化させた後に、光の明るさおよび色の少なくとも一方を変化させてもよい。
【０１６２】
図２２の例によれば、空間Ｓの利用者の一例である眼鏡Ｇの使用者の視界に入り易い第１フレーム部ＦＲ１に設けられた第１の光射出部２０Ａよりも先に、眼鏡Ｇの使用者の視界に入り難い第２フレーム部ＦＲ２に設けられた第２の光射出部２０Ｂの光の色、明るさを変化させることができる。これにより、第１の光射出部２０Ａの光の色、明るさの変化が目立つことによる利用者の違和感を回避して、空間の雰囲気を効果的に演出することができる。
【０１６３】
（第１１の変形例）
図２３は、本実施形態の第１１の変形例による空間演出システム１を示す斜視図である。図２４は、本実施形態の第１１の変形例による空間演出システム１に含まれる面光源装置２１〜２４の一例を示す断面図である。これまでは、面光源装置２１〜２４を壁Ｗに設ける例について説明した。これに対して、図２３および図２４に示すように、面光源装置２１〜２４を天井ＣＥに設けるようにしてもよい。図２４の例において、面光源装置２１〜２４は、発光面２１０ａを下方ｄ１２に向けて天井ＣＥに配置されている。発光体２２０側の面光源装置２１〜２４の端部は、第１保持フレーム７１で保持され、発光体２２０と反対側の面光源装置２１〜２４の端部は、第２保持フレーム７２で保持されている。化粧シート６は、発光面２１０ａに沿って発光面２１０ａの下側に位置し、一端が第１保持フレーム７１上に保持され、他端が第２保持フレーム７２上に保持されている。
【０１６４】
導入のしやすさの観点から、天井ＣＥはシステム天井であることが好ましい。システム天井とは、天井の仕上板と天井に設置される設備機器とを一体に組み立てる天井のことである。従来型の天井は、下地にボードを貼り、設備機器は後からセットする方式であるのに対して、システム天井は、天井面のランナーや枠に予め一体に組み立てられたボードと設備機器とをはめ込んでセットする方式である。
【０１６５】
天井ＣＥには、照明用の配線が既設されていることが多いため、既存の配線を活用して低コストで面光源装置２１〜２４を設置することができる。また、システム天井の場合には、より簡易的に面光源装置２１〜２４を設置することができる。
【０１６６】
（第１２の変形例）
図２５Ａは、本実施形態の第１２の変形例による空間演出システム１に含まれる面光源装置２１〜２４の一例を示す断面図である。これまでは、面光源装置２１〜２４を壁Ｗに設ける例について説明した。これに対して、図２５Ａに示すように、面光源装置２１〜２４は、空間Ｓと他の空間Ｓ２との間を仕切る間仕切壁２００に設けてもよい。間仕切壁２００は、既述した面光源装置２１〜２４と、収納ボックス７３と、支持板５００と、第１壁板５０１と、第２壁板５０２とを有する。
【０１６７】
支持板５００は、床Ｆから天井ＣＥまたはその近傍まで延び、空間Ｓ側の前面５００ａと、空間Ｓに隣接する他の空間Ｓ２側の背面５００ｂとを有する。面光源装置２１〜２４は、支持板５００の前面５００ａのうちの上端部側の所定範囲の領域に支持されている。
【０１６８】
より詳しくは、面光源装置２１〜２４は、前方が開口された箱状の収納ボックス７３内に収納された状態で、収納ボックス７３とともに支持板５００の前面５００ａに固定されている。収納ボックス７３の開口部は、発光面２１０ａに対面する化粧シート６で閉塞されている。収納ボックス７３は、例えば、ねじ止め等の固定方法によって支持板５００の前面５００ａに固定されていてもよい。取り扱い性および剛性を確保するため、支持板５００は、例えば、軽鉄で構成してもよい。
【０１６９】
支持板５００の前面５００ａのうち、支持板５００の下端から面光源装置２１〜２４の下端部の近傍に亘る領域には、支持板５００に沿って第１壁板５０１が配置されている。
意匠性を確保するため、第１壁板５０１の外観は、化粧シート６と同じであることが望ましい。また、取扱い性を確保するため、第１壁板５０１は、例えば、軽量な発砲スチロール材の表面に化粧シート６を貼り付けることで構成してもよい。
【０１７０】
支持板５００の背面５００ｂには、支持板５００に沿って第２壁板５０２が配置されている。第２壁板５０２は、他の空間Ｓ２側に露出している。第２壁板５０２の材質は、第１壁板５０１と同じであってもよい。
【０１７１】
図２５Ａでは、面光源装置２１〜２４が収納ボックス７３に収納された例について説明した。これに対して、図２５Ｂに示すように、面光源装置２１〜２４を収納ボックス７３に収納する替わりに、面光源装置２１〜２４の背面に、他の空間Ｓ２側に露出するように面光源装置２１〜２４の前面側の化粧シート６と同様の化粧シート６を配置してもよい。
なお、図２５Ｂの例では、面光源装置２１〜２４の上端に位置する第１保持フレーム７１によって、発光体２２０と化粧シート６，６の上端部とが保持され、面光源装置２１〜２４の下端に位置する第２保持フレーム７２によって、光学部材２１０および化粧シート６，６の下端部ならびに壁板５０１の上端部が保持されている。例えば、第２保持フレーム７２が壁板５０１に対して着脱可能であることで、面光源装置２１〜２４は、壁板５０１に対して着脱可能となっている。図２５Ｂの例では、面光源装置２１を壁板５０１から取り外した場合に、一方の空間Ｓ、Ｓ２側から隣接する他方の空間Ｓ２、Ｓの一部を視認することができる。
【０１７２】
また、図２５Ａの例では、空間Ｓ側に光を射出する面光源装置２１〜２４のみを例示しているが、図２６に示すように、更に、他の空間Ｓ２に光を射出する面光源装置２１〜２４を支持板５００の背面５００ｂに配置してもよい。この場合、空間Ｓ側の面光源装置２１〜２４による光の射出と、他の空間Ｓ２側の面光源装置２１〜２４による光の射出は、システム制御部４が独立して制御してもよい。
【０１７３】
建物自身の壁Ｗとは異なり、間仕切り壁２００は、所望のレイアウトで空間を仕切るために建物に後付けすることができる。このような間仕切り壁２００に面光源装置２１〜２４を設けることで、面光源装置２１〜２４の導入の容易性を向上させることができる。
【０１７４】
（第１３の変形例）
図２７は、本実施形態の第１３の変形例による空間演出システム１に含まれる面光源装置の一例を示す断面図である。図２８は、本実施形態の第１３の変形例による空間演出システム１に含まれる面光源装置２１〜２４の一例を示す分解斜視図である。
【０１７５】
これまでは、面光源装置２１〜２４が導光板２１１を備えた例について説明した。これに対して、図２７および図２８に示すように、光拡散シート２１２と反射シート２１３との間に、導光板２１１を配置する替わりに空気層２１６を配置してもよい。空気層２１６は、発光体２２０から射出された光を反射シート２１３まで導光し、また、反射シート２１３で反射された光を光拡散シート２１２まで導光する。
【０１７６】
また、図２７および図２８に示すように、発光体２２０よりも反射シート２１３側に輝度調整シート２１４を配置してもよい。輝度調整シート２１４は、発光体２２０から射出された光に基づいて、発光面２１０ａの或る位置の輝度を、その位置よりも上側ｄ１１の他の位置の輝度よりも低く調整するシートである。図２８の例において、輝度調整シート２１４は、樹脂フィルムなどの透明基材２１４ａ上に黒インクの印刷や塗布によって形成された光吸収層２１４ｂを有する。光吸収層２１４ｂは、上側ｄ１１から下側ｄ１２に向かって反射シート２１３に対する面積率が増加する。これにより、上側ｄ１１から下側ｄ１２に向かって光吸収率を連続的に増加させることで、光反射率を連続的に減少させることができる。
【０１７７】
なお、図２７の例において、光拡散シート２１２および輝度調整シート２１４は、接着材２４を介して、発光体２２０を保持する第１フレーム７０１と、第１フレーム７０１と反対の第２フレーム７０２とに接着されている。また、化粧シート６は、フレーム７０１、７０２を跨いで反射シート２１３の背面に至るように配置されている。
【０１７８】
第１３の変形例によれば、導光板２１１を配置する替わりに空気層２１６を配置することで軽量化が可能となる。また、発光体２２０よりも反射シート２１３側に位置する輝度調整シート２１４によって発光面２１０ａの或る位置の輝度をその位置よりも上側ｄ１１の他の位置の輝度よりも低く調整することで、輝度調整シート２１４による意匠性の低下を抑制しつつ、発光面２１０ａの下端側の縁部での輝度を低減することができる。これにより、空間Ｓの雰囲気を更に効果的に高めることが可能となる。
【０１７９】
また、本開示の空間演出システム１は、建物の部屋以外にも、車室や船室などの移動体の部屋内の空間の演出にも適用することができる。
【０１８０】
なお、以上において一実施の形態に対する具体例および変形例を説明してきたが、当然に、複数の例を適宜組み合わせて適用することも可能である。
【０１８１】
本開示のいくつかの実施形態を説明したが、これらの実施形態は、例として提示したものであり、開示の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、本開示の範囲や要旨に含まれると同様に、特許請求の範囲に記載された本開示とその均等の範囲に含まれるものである。
【符号の説明】
【０１８２】
１  空間演出システム
２１  第１の面光源装置
２２  第２の面光源装置
２３  第３の面光源装置
２４  第４の面光源装置
【図１】
2020057618.tif 000003
【図２】
2020057618.tif 000004
【図３】
2020057618.tif 000005
【図４】
2020057618.tif 000006
【図５】
2020057618.tif 000007
【図６】
2020057618.tif 000008
【図７】
2020057618.tif 000009
【図８】
2020057618.tif 000010
【図９】
2020057618.tif 000011
【図１０】
2020057618.tif 000012
【図１１】
2020057618.tif 000013
【図１２】
2020057618.tif 000014
【図１３】
2020057618.tif 000015
【図１４】
2020057618.tif 000016
【図１５】
2020057618.tif 000017
【図１６】
2020057618.tif 000018
【図１７】
2020057618.tif 000019
【図１８】
2020057618.tif 000020
【図１９】
2020057618.tif 000021
【図２０】
2020057618.tif 000022
【図２１】
2020057618.tif 000023
【図２２】
2020057618.tif 000024
【図２３】
2020057618.tif 000025
【図２４】
2020057618.tif 000026
【図２５Ａ】
2020057618.tif 000027
【図２５Ｂ】
2020057618.tif 000028
【図２６】
2020057618.tif 000029
【図２７】
2020057618.tif 000030
【図２８】
2020057618.tif 000031